(57)【要約】      （修正有）【課題】部分あてパーマにおいて、毛髪をロッドに１回転巻きつけるに際し、ロッドの外周にそって巻きつける毛髪の毛先側を、根元側の毛髪による壁を突き抜けて通すことを容易とする、パーマ整髪用ロッド巻具を提供する。【解決手段】把持可能な柱状の本体１と、該本体の軸方向外方に延設され、筒状のパーマ整髪用ロッドを着脱自在に同軸に装着支持する支持軸２と、該支持軸に装着されたパーマ整髪用ロッドの外周に対して毛髪を圧接させる髪押え部材３とを備えるパーマ整髪用ロッド巻具において、前記髪押え部材３の該圧接させる部分がパーマ整髪用ロッドの外周に沿って湾曲した板状の櫛であることを特徴として、パーマ整髪用ロッド巻具を構成する。【選択図】図１
0003160745.tif 000002
【実用新案登録請求の範囲】
【請求項１】
把持可能な柱状の本体と、該本体の軸方向外方に延設され、筒状のパーマ整髪用ロッドを着脱自在に同軸に装着支持する支持軸と、該支持軸に装着されたパーマ整髪用ロッドの外周に対して毛髪を圧接させる髪押え部材とを備えるパーマ整髪用ロッド巻具において、前記髪押え部材の該圧接させる部分がパーマ整髪用ロッドの外周に沿って湾曲した板状の櫛であることを特徴とする、パーマ整髪用ロッド巻具。
【請求項２】
支持軸が、髪押え部材とともに、本体に対して本体の軸を中心として回転する、請求項１のパーマ整髪用ロッド巻具。
【請求項３】
髪押え部材が、該支持軸に装着されたパーマ整髪用ロッドの外周に対して毛髪を圧接させる方向に付勢された、請求項１又は２のパーマ整髪用ロッド巻具。
【考案の詳細な説明】
【技術分野】
【０００１】  本考案は、パーマ整髪時に用いるロッドを巻処理するための器具に関するものであり、更に詳しくは、毛髪の根元から毛先にかけての任意の場所で、ロッドに毛髪を１回転巻き付けるための、ロッド巻具に関する。
【背景技術】
【０００２】  ヘアスタイルの多様化により、パーマ整髪においても、通常の処理以外に、いわゆる部分あて（毛髪の一部にのみパーマネントウェーブをかけること）のニーズが高まっている。例えば、毛髪の根元部分のみにパーマネントウェーブ（以下、単にパーマとも称する。）をかけたり、中間部分、又は毛先に近い部分のみにパーマをかけたりするものである。しかし、このような場合に、有効にパーマをかけるには、パーマをかける部位が毛髪の先端部である場合を除いては、毛髪をパーマ整髪用ロッド（以下、単にロッドとも称する。）の外周に沿って巻き付けてゆく際に、巻きつける毛髪の毛先側を、根元側の毛髪による壁を突き抜けて通す必要がある。これは手作業による場合は至難の業であり、長期間に渡って習熟した経験者が巧に櫛等を操作しても、効率よく実施することが難しい。一方、毛髪の毛先側を、根元側の毛髪による壁を突き抜けさせずその手前で止める場合には、毛髪はロッドに沿って１回転未満しか巻きつけることができず、かつ、こうしてロッドに巻きつけられた部分より毛先側の毛髪は、ロッド外周に沿う巻き付け方向と反対側に反り返ってしまうため、このままパーマをあてたのでは、自然なウェーブを損なってしまうおそれがある。【０００３】  毛髪のロッドへの巻きつけを容易化する器具としては、特許文献１記載のパーマネント用ロッド巻具があるが、これでは上記問題は解決できない。
【先行技術文献】
【特許文献】
【０００４】
【特許文献１】実開平６−３６５０１号公報
【考案の概要】
【考案が解決しようとする課題】
【０００５】  本考案は、部分あてパーマにおいて、毛髪をロッドに１回転巻きつけるに際し、ロッドの外周にそって巻きつける毛髪の毛先側を、根元側の毛髪による壁を突き抜けて通すことを容易とする、パーマ整髪用ロッド巻具を提供するものである。
【課題を解決するための手段】
【０００６】  即ち、本考案は、
（１）把持可能な柱状の本体と、該本体の軸方向外方に延設され、筒状のパーマ整髪用ロッドを着脱自在に同軸に装着支持する支持軸と、該支持軸に装着されたパーマ整髪用ロッドの外周に対して毛髪を圧接させる髪押え部材とを備えるパーマ整髪用ロッド巻具において、前記髪押え部材の該圧接させる部分がパーマ整髪用ロッドの外周に沿って湾曲した板状の櫛であることを特徴とする、パーマ整髪用ロッド巻具、
（２）支持軸が、髪押え部材とともに、本体に対して本体の軸を中心として回転する、上記（１）のパーマ整髪用ロッド巻具、
（３）髪押え部材が、該支持軸に装着されたパーマ整髪用ロッドの外周に対して毛髪を圧接させる方向に付勢された、上記（１）又は（２）のパーマ整髪用ロッド巻具、
に関する。
【考案の効果】
【０００７】  本考案によれば、従来困難であった部分あてパーマにおける毛髪のロッドへの巻き付けが容易になり、作業の効率化を図ることができる。特に、毛髪の根元部分にのみパーマを当てる根元巻きに適用すれば、これまでより、効率よく、しかも毛髪を１回転しっかりとロッドに巻き付けることができるため、髪の毛のボリューム感がアップした仕上がりとすることができる。また、巻き付け作業において、髪押え部材によって毛髪をロッドに押さえつけることができるため、従来巻き付け時にロッドと毛髪が滑らないようにその間に挟んで使用していたペーパーも不要となる。
また、支持軸が、髪押え部材と共に、本体に対して本体の軸を中心として回転する本考案のパーマ整髪用ロッド巻具によれば、巻き付けの操作において本体を把持する手の手首を返えさずとも、支持軸を、例えば親指と人差し指等で回転させることで巻き付けができるので、一層巻き付け操作が容易となる。
さらに、髪押え部材が、該支持軸に装着されたパーマ整髪用ロッドの外周に対して毛髪を圧接させる方向に付勢された、本考案のパーマ整髪用ロッド巻具によれば、該髪押え部材が毛髪をロッドにしっかりと押し付けるため、より一層巻き付け操作が容易となる。
【図面の簡単な説明】
【０００８】
【図１】図１は、実施例１のパーマ整髪用ロッド巻具を示した図である。
【図２】図２は、図１と同じ状態のものを、上部から見た図である。
【図３】図３は、実施例１のパーマ整髪用ロッド巻具に着けて使用するパーマ整髪用ロッド及びそのロッドカバーの一態様について、それぞれ正面図と側面図を示したものである。
【図４】図４は、本考案のパーマ整髪用ロッド巻具を使用して、髪の毛をロッドに巻き付ける様子を説明した図である。
【図５】図５は、本考案の右利き用のパーマ整髪用ロッド巻具の一態様を更に詳細に示すとともに（実施例２）、該ロッド巻具に使用するロッド及びロッドカバーの一態様を示したものである。
【考案を実施するための形態】
【０００９】  本考案において、把持可能な柱状の本体とは、通常、人の手で把持が可能な柱状の形状をした柄の如きものをいう。柱状とは、円柱、多角柱の如きいずれの形状であってもよく、人の手で把持できる限り特に限定されない。
支持軸は、本体の軸方向外方に延設されたものであるが、本体と接する側と反対側の端部（先端部）において、筒状のパーマ整髪用ロッドを着脱できるものである。該着脱は、例えば、支持軸の該先端部を細い棒状の形状とし、これがロッドの側面に開けられた対応する形状の穴に嵌合することによって達成される。かかる棒状の形状の例としては、円柱又は三角柱、四角柱、五角柱、六角柱等の如き多角柱の形状のものが考えられるが、対応するロッドの穴に嵌合し本発明の効果を奏する限り特に限定されない。但し、本体の軸を中心とする回転に対して該嵌合した状態をしっかりと維持する観点からは、かかる棒状の形状としては、円柱に比べ多角柱の形状のものが好ましい。支持軸は、髪押え部材とともに、本体に対して、本体の軸を中心として、回転するようにすることができる。
【００１０】  髪押え部材は、支持軸に装着されたものであって、支持軸の先端部にロッドが着けられた状態において、該ロッドの外周に対して毛髪を圧接させるように動くことができるものである。髪押え部材の支持軸への装着方法は、かかる機能を発揮する限り特に限定されないが、例えば、図１に示す如きに、髪押え部材を所定のピンを用いて支持軸へ装着することが考えられる。このようにピンを用いた場合、髪押え部材はかかるピンを支点として上下動する。このような髪押え部材は、支持軸に装着されたパーマ整髪用ロッドの外周に対して毛髪を圧接させる方向に付勢されていてもよい。この場合、付勢とは、ある方向に向かう力を付与することをいう。かかる付勢は、例えば、バネなどによって達成することができる。該付勢によって、髪押え部材は、支持軸に装着されたパーマ整髪用ロッドの外周に対して、毛髪を圧接させることができるが、仮にかかる付勢がなされなくても、例えば、髪押え部材の上下動の動き易さを前記ピンの締め付け具合などによって調節することにより、髪押え部材によって毛髪をロッドの外周に対して圧接させた状態で維持することができる。
髪押え部材の、毛髪をロッド外周に対して圧接させる部分（以下、毛髪圧接部とも称する。）は、ロッドの外周に沿うように湾曲した板状の櫛であり、その外観は、例えば、図１及び図２に示す如きである。
【００１１】  この場合の湾曲とは、毛髪圧接部のロッドに相対する面（下面）が湾曲していることを意味し、その裏側の面（ロッドに接しない側の面、つまり上面）については、通常同じ度合いで湾曲するが、かならずしもそのことが必要ではなく、本発明の効果を妨げない限り、いかなる形状であってもよい。該毛髪圧接部のロッドに相対する面の湾曲の度合いは、ロッド外周の湾曲度合いに対して小さい（すなわち、ロッド外周の曲率に対して、毛髪圧接部のロッドに相対する面の曲率は小さい）ものである。
板状の櫛における櫛の歯は、通常、長辺の片方に等間隔の切り込みを入れることにより形成される。図２の如きに、本考案のパーマ整髪用ロッド巻具をその上部から見た場合、右利き用のものは本体から支持軸に延びる方向の本体の軸に対して左側に、左利き用のものは同じ軸に対して右側に、歯が形成されるが、両利き様として、両側に歯が形成されていてもよい。
本考案のパーマ整髪用ロッド巻具の使用方法を、以下、実施例をもとに説明するが、本考案はかかる実施例の範囲に限定されるものではない。
【実施例１】
【００１２】  図１は、本考案の一態様である、実施例１の右利き用パーマ整髪用ロッド巻具を示したものである。同図において、本体１の左側に支持軸２が延設されている。かかる支持軸２の先端部２１は、ロッドを着脱できるよう、四角柱の形状となっている。髪押え部材３は、ピン４によって、支持軸２に取り付けられており、ピン４を支点として上下動することができる。髪押え部材３の一部である毛髪圧接部３１は、湾曲した板状の櫛である。
図２は、実施例１のパーマ整髪用ロッド巻具を上部から見たものである。図３は、実施例１のパーマ整髪用ロッド巻具に着脱するパーマ整髪用ロッド５及びそのロッドカバー６を示したものである。【００１３】  図４の（ａ）〜（ｈ）をもとに、本考案のパーマ整髪用ロッド巻具の使用方法を説明する。なお、本図において、本考案のパーマ整髪用ロッド巻具は右利き用のものであり、その支持軸は、髪押え部材とともに、本体に対して本体の軸を中心として回転することができ、かつ、その髪押え部材は、該支持軸に装着されたパーマ整髪用ロッドの外周に対して毛髪を圧接させる方向に付勢されたものである。（ａ）ヘアパネルを頭皮より薄く分けとり、これを指で保持しゆるまない程度に軽くテンションをかけ、かかるヘアパネルを、根元よりやや中間側のあたりで、ロッドを装着した本考案のロッド巻具を用いて、その髪押え部材の毛髪圧接部３１を下ろすことによって、挟み込む。その後ゆっくりと、支持軸２を、ロッドの巻き込み方向（すなわち、図において、矢印の示す如く、手前から下を通って向こう側の方向をいう。かかる方向を、以下、正方向と称し、これと反対方向を逆方向と称する。）へ、毛髪圧接部３１の櫛の歯の部分に髪を絡めながら、回転させる。このとき、支持軸２、髪押え部材３及びロッド５は一体となって回転する。（ｂ）支持軸２を、およそ半回転〜４分の３回転程度、正方向に回転させると、巻き付ける髪の毛先側が、根元側の毛髪による壁に突き当たる。（ｃ）毛先側の髪が該壁を突き抜けて立ち上がるよう、支持軸を、正・逆の方向に微調節しながら更に正方向に回転させ、その結果、立ち上がった髪の毛の輪にリングコーム７を通す。（ｄ）リングコーム７を上方に引き上げることによって、毛先側の髪を完全に立ち上げ、適度なテンションをかけながら指で保持する。（ｅ）支持軸を逆方向に回転させ、髪押え部材３の毛髪圧接部３１の櫛の歯の部分が髪に絡まない状態にまで戻す。（ｆ）本ロッド巻具の支持軸の先端部２１をロッド５から引き抜く。この状態において、髪を一回転巻きつけたロッドは、髪に適度なテンションをかけながら上下にずらすことにより、根元から毛先にかけての任意の場所に移動させることができる状態にある。（ｇ）ロッドを根元方向にずらして下げる。（ｈ）ロッドカバー６で、パチンと止め、ロッドから流れ出た髪を整える。【００１４】  上記（ａ）〜（ｈ）は根元巻きの例であるが、（ｇ）において、ロッドを髪の毛の根元ではなく、それ以外の任意の場所に移動させることにより、根元以外の場所に対しても、選択的にパーマをかけることができる。
【実施例２】
【００１５】  図５は、本考案の右利き用のパーマ整髪用ロッド巻具の一態様を更に詳細に示したものであり、（ａ）は本体１と支持軸２（支持軸の先端部２１を含む）について、（ｂ）は髪押え部材３（髪押え部材の毛髪圧接部３１を含む）について、（ｃ）は前記支持軸の先端部２１に着脱されるパーマ整髪用ロッド５及びそのロッドカバー６を示したものである。
【産業上の利用可能性】
【００１６】  本考案によれば、部分あてパーマにおける毛髪のロッドへの巻き付けが容易になり、作業の効率化を図ることができる。特に、毛髪の根元部分にのみパーマを当てる根元巻きに適用すれば、これまでより、効率よく、しかも毛髪を１回転しっかりとロッドに巻き付けることができるため、髪の毛のボリューム感がアップした仕上がりとすることができる。
【符号の説明】
【００１７】１    本体
２    支持軸
２１  支持軸の先端部
３    髪押え部材
３１  髪押え部材の毛髪圧接部
４    ピン
５    パーマ整髪用ロッド
６    ロッドカバー
７    リングコーム
【図１】
0003160745.tif 000003
【図２】
0003160745.tif 000004
【図３】
0003160745.tif 000005
【図４】
0003160745.tif 000006
【図５】
0003160745.tif 000007